(57)【要約】      （修正有）【課題】内部濾過式または外部濾過式のフィルタを水ポンプの吸引側に設けることによって、補助水槽の外面を流下する水を連続的に濾過し、補助水槽の外面の汚れを小さく維持することができる水槽を提供する。【解決手段】主水槽１１内の水を吸引して吐出ノズル１６から補助水槽１２の外面に流出させる水ポンプ１３を設け、水ポンプ１３の吸引側には、濾過用のフィルタ１４を設ける。【選択図】図１
0003180579.tif 000002
【実用新案登録請求の範囲】
【請求項１】
主水槽と、該主水槽内に下向きに設置し、内外に貫通する吐出ノズルを頂部に有する補助水槽と、前記主水槽内の水を吸引して前記吐出ノズルから前記補助水槽の外面に流出させる水ポンプとを備えてなり、前記補助水槽は、下端縁の全周を前記主水槽内の水面下に保持し、前記水ポンプは、濾過用のフィルタを吸引側に有し、前記補助水槽内の透明パイプを介して吐出側を前記吐出ノズルに着脱自在に連結することを特徴とする水槽。
【請求項２】
前記補助水槽は、複数のスペーサを介して前記主水槽内に設置することを特徴とする請求項１記載の水槽。
【請求項３】
前記補助水槽の頂部には、上向きの凹部を形成し、前記吐出ノズルは、前記凹部の底面に開口することを特徴とする請求項１または請求項２記載の水槽。
【請求項４】
前記吐出ノズルからの水は、前記補助水槽の外表面の全面に拡がって流下することを特徴とする請求項１ないし請求項３のいずれか記載の水槽。
【請求項５】
前記フィルタは、前記主水槽の底部に設置し、前記水ポンプに加えて、前記補助水槽内をライトアップする照明器具、前記主水槽内の水を加温するヒータの一方または双方を組み込むことを特徴とする請求項１ないし請求項４のいずれか記載の水槽。
【請求項６】
前記水ポンプの吐出側には、切換弁を装着することを特徴とする請求項１ないし請求項５のいずれか記載の水槽。
【請求項７】
前記主水槽の底部には、前記補助水槽内に進入する透明な突出部を形成することを特徴とする請求項１ないし請求項６のいずれか記載の水槽。
【請求項８】
前記補助水槽は、透明な内部材を組み合わせることを特徴とする請求項１ないし請求項６のいずれか記載の水槽。
【考案の詳細な説明】
【技術分野】
【０００１】
この考案は、金魚や熱帯魚のような鑑賞魚を一段と興趣あるように鑑賞させることができる水槽に関する。
【背景技術】
【０００２】
主水槽内に下向きの補助水槽を設置する水槽が知られている（特許文献１）。なお、この水槽は、出願人の発案によるものである。
【０００３】
下向きの補助水槽は、たとえばドーム状の頂部を有する透明体であって、下端縁の全周を主水槽内の水面下に保持するとともに、内部のエアを排気して水を充満させるか、内部の水面を主水槽の水面より高く維持することにより、主水槽内の魚の遊泳範囲を補助水槽内にまで高く拡大することができ、補助水槽内を遊泳する魚を横から鑑賞させることができる。なお、主水槽内に水ポンプを設置し、水ポンプからの水を補助水槽の頂部から外面に流下させると、補助水槽の外観を一層良好に見せることができる。
【先行技術文献】
【特許文献】
【０００４】
【特許文献１】特許第２７００９１６号公報
【考案の概要】
【考案が解決しようとする課題】
【０００５】
かかる従来技術によるときは、補助水槽の外面を流下する水は、格別の浄化処理をすることがなかったので、補助水槽の外面の透明度が短期間のうちに失われてしまい、美感を損ないかねないという問題があった。
【０００６】
そこで、この考案の目的は、かかる従来技術の問題に鑑み、内部濾過式または外部濾過式のフィルタを水ポンプの吸引側に設けることによって、補助水槽の外面を流下する水を連続的に濾過し、補助水槽の外面の汚れを小さく維持することができる水槽を提供することにある。
【課題を解決するための手段】
【０００７】
かかる目的を達成するためのこの考案の構成は、主水槽と、主水槽内に下向きに設置し、内外に貫通する吐出ノズルを頂部に有する補助水槽と、主水槽内の水を吸引して吐出ノズルから補助水槽の外面に流出させる水ポンプとを備えてなり、補助水槽は、下端縁の全周を主水槽内の水面下に保持し、水ポンプは、濾過用のフィルタを吸引側に有し、補助水槽内の透明パイプを介して吐出側を吐出ノズルに着脱自在に連結することをその要旨とする。
【０００８】
なお、補助水槽は、複数のスペーサを介して主水槽内に設置することができ、補助水槽の頂部には、上向きの凹部を形成し、吐出ノズルは、凹部の底面に開口することができる。
【０００９】
また、吐出ノズルからの水は、補助水槽の外表面の全面に拡がって流下することができ、フィルタは、主水槽の底部に設置し、水ポンプに加えて、補助水槽内をライトアップする照明器具、主水槽内の水を加温するヒータの一方または双方を組み込むことができる。
【００１０】
さらに、水ポンプの吐出側には、切換弁を装着してもよく、主水槽の底部には、補助水槽内に進入する透明な突出部を形成してもよく、補助水槽は、透明な内部材を組み合わせてもよい。
【考案の効果】
【００１１】
かかる考案の構成によるときは、補助水槽は、内部に水を満たすことにより、主水槽内の魚を高く遊泳させることができる。一方、水ポンプは、主水槽内の水を吸引し、補助水槽の頂部の吐出ノズルを介して補助水槽の外面に水を流下させるが、水ポンプの吸引側の濾過用のフィルタは、補助水槽の外面を流下する水を浄化し、補助水槽の透明度を長く維持することができる。なお、補助水槽は、ガラスまたはプラスチック材料からなる透明水槽を倒立させて使用するものとし、その形状は、たとえば頂部をドーム状に閉じる円筒状が好ましいが、他の形状であってもよい。
【００１２】
補助水槽は、たとえば外径少なくとも１０cm以上、好ましくは３０cm以上の大形とし、主水槽の水面から１０cm以上、特に好ましくは４０cm以上上向きに突出させることにより、豪華な雰囲気を作ることができる。また、水ポンプの吐出水量は、補助水槽の頂部の吐出ノズルから流出する水が補助水槽の外表面の全面に拡がって流下するように設定することが好ましい。補助水槽の外表面の全面を利用して水を空気に接触させることにより、水中の溶存酸素を多くして魚の活性を良好に維持することができる。なお、補助水槽内の透明パイプは、補助水槽の外面から極端に目立って見えることがない。
【００１３】
濾過用のフィルタは、主水槽の内部の水中に設置することにより、内部濾過式として動作させてもよく、主水槽の外部に設置することにより、外部濾過式として動作させてもよい。また、フィルタは、たとえばプラスチック繊維、炭素繊維、グラスウール繊維などの繊維質の濾材の他、多孔質のセラミックス、活性炭などの濾材を単独で、またはこれらを組み合わせて使用してもよく、あるいは、好気性または嫌気性の微生物によるバイオフィルタを併用してもよい。
【００１４】
補助水槽の頂部に形成する上向きの凹部には、底面に開口する吐出ノズルからの水が溜まり、全周縁から溢れ出て補助水槽の外面を流下する。そこで、凹部内の水面には、たとえば水草類を浮かべたり、ろうそくを点火して浮かべたりすることにより、格別な興趣を演出することができる。
【００１５】
主水槽の底部に設置するフィルタは、水ポンプを組み込むことにより、両者をコンパクトにまとめることができる。また、フィルタに照明器具、ヒータの一方または双方を組み込めば、照明器具やヒータにより魚の遊泳環境を狭めることがなく、これらと魚との接触により魚体を傷付けるおそれがない。
【００１６】
水ポンプの吐出側の切換弁は、通常運転中は、水ポンプの吐出側を補助水槽の頂部の吐出ノズルに連通させることにより、吐出ノズルから水を流出させるが、水換えや槽内の清掃などの際には、水ポンプの吐出側を外部に連通する排水ホース側に切り換え、水ポンプを利用して槽内の水を外部に排出することができる。なお、このとき、補助水槽は、エアホースを介して外部からエアを少量ずつ注入することにより、内部の水面を徐々に低下させることが好ましい。ただし、排水ホースは、必要に応じて切換弁に着脱してもよく、切換弁に常時接続しておいてもよい。
【図面の簡単な説明】
【００１７】
【図１】全体構成模式断面図
【図２】要部拡大構成説明図（１）
【図３】要部拡大構成説明図（２）
【図４】他の実施の形態を示す図１相当図
【図５】他の実施の形態を示す要部模式図
【図６】他の実施の形態を示す模式説明図（１）
【図７】他の実施の形態を示す模式説明図（２）
【考案を実施するための形態】
【００１８】
以下、図面を以って考案の実施の形態を説明する。
【００１９】
水槽は、主水槽１１、補助水槽１２、水ポンプ１３、フィルタ１４を主要部材としてなる（図１）。
【００２０】
主水槽１１は、たとえば円形鉢状の有底容器であり、内部に水を満たすことができる。主水槽１１は、透明であってもよく、不透明であってもよい。主水槽１１の底部には、上面のメッシュ板１５を介してフィルタ１４が設置されている。
【００２１】
補助水槽１２は、たとえば頂部をドーム状に閉じる倒立円筒容器である。補助水槽１２は、透明であり、下端縁の全周が主水槽１１内の水面下にあるように、複数のスペーサ１２ａ、１２ａ…を介して主水槽１１内に設置されている。ただし、各スペーサ１２ａは、メッシュ板１５のポケット１５ａに下端部を着脱自在に収納して立設されている。
【００２２】
水ポンプ１３は、メッシュ板１５の下面に付設する下部開放のケース１５ｂ内に収納するようにして、フィルタ１４に一体に組み込まれている。水ポンプ１３の吸引側は、ケース１５ｂ内に下向きに開口しており、吐出側は、メッシュ板１５を下から上に貫通し、メッシュ板１５上の３ポート２位置の切換弁１３ａに連結されている。
【００２３】
切換弁１３ａの一方の出口側は、透明パイプ１３ｂを介して、補助水槽１２の頂部の吐出ノズル１６に接続されている。吐出ノズル１６は、補助水槽１２の頂部を内外に貫通している。透明パイプ１３ｂの下端は、蛇腹式のコネクタ１３ｃを介して、切換弁１３ａの一方の出口側に着脱自在に連結されている（図２（Ａ）、（Ｂ））。ただし、図２（Ａ）、（Ｂ）は、それぞれコネクタ１３ｃを伸縮させて透明パイプ１３ｂを切換弁１３ａの出口側に着脱するときの模式図である。なお、コネクタ１３ｃは、透明パイプ１３ｂ、切換弁１３ａを着脱自在に連結できればよく、蛇腹式でなくてもよい。
【００２４】
フィルタ１４は、メッシュ板１５の下側に配置されている（図１）。フィルタ１４は、メッシュ板１５を介して水ポンプ１３が吸引する主水槽１１内の水を連続的に濾過することができる。なお、フィルタ１４内には、メッシュ板１５を通過する水が適切に濾過されてケース１５ｂ内の水ポンプ１３の吸引側に到達するように、図示しないガイドが形成されている。ただし、メッシュ板１５は、フィルタ１４の上面の全部でなく、一部だけに水を通過させてもよい。
【００２５】
フィルタ１４には、ヒータ１７、照明器具１８が組み込まれている。ヒータ１７は、メッシュ板１５に付設するポケット１５ｃに収納されており（図３（Ａ））、メッシュ板１５上に露出することがない。ヒータ１７は、水ポンプ１３に吸引される主水槽１１内の水を加温する。また、照明器具１８は、メッシュ板１５に付設するポケット１５ｄ内に上向きに収納されており（図３（Ｂ））、投光部分がメッシュ板１５上に露出している。照明器具１８は、メッシュ板１５上の補助水槽１２内をライトアップする。なお、ヒータ１７、照明器具１８は、必要に応じてそれぞれ任意の個数を設ければよく、その一方または双方を設けてもよく、双方を省略してもよい。
【００２６】
かかる水槽は、主水槽１１内に水を満たし、主水槽１１内の水面が補助水槽１２の下端縁より上にあるようにする（図１）。つづいて、補助水槽１２内にエアホース２１を高く挿入し、図示しないエアポンプをエアホース２１の一端に接続して補助水槽１２内のエアを排出すると、主水槽１１内の水が補助水槽１２内に高く吸い上げられるから、補助水槽１２内の全部を水で満たしてエアホース２１を抜去する。なお、補助水槽１２内に水が吸い上げられると、主水槽１１内の水面が下降するから、補助水槽１２の下端縁が主水槽１１内の水面より高くならないように、主水槽１１内に随時水を補給する。そこで、主水槽１１内に魚を放流すれば、魚は、主水槽１１内のみならず、補助水槽１２内にも高く遊泳することができる。
【００２７】
つづいて、水ポンプ１３を運転すると、フィルタ１４を介して主水槽１１内の水が吸引され、切換弁１３ａ、透明パイプ１３ｂを介して補助水槽１２の頂部の吐出ノズル１６から上向きに流出する。また、吐出ノズル１６からの水は、補助水槽１２の外表面の全面に亘って水膜を形成しながら流下して主水槽１１に戻ることにより、補助水槽１２内の魚と相俟って、独特の興趣を実現することができる。なお、フィルタ１４は、水ポンプ１３に吸引される水を浄化し、補助水槽１２の外面が短期間内に汚損することを防止する。
【００２８】
主水槽１１、補助水槽１２内の水換えをし、内部を清掃するときは、外部に連通する排水ホース２２の一端を切換弁１３ａに接続して、切換弁１３ａを透明パイプ１３ｂ側から排水ホース２２側に切り換える。そのまま水ポンプ１３を運転すると、排水ホース２２を介して主水槽１１内の水を外部に排水することができるから、つづいて、エアホース２１を補助水槽１２内に挿入し、エアホース２１を介して補助水槽１２内にエアを少量ずつ注入することにより、補助水槽１２内の水を主水槽１１内に排出させる。なお、主水槽１１、補助水槽１２内の水が十分に排出されたら、コネクタ１３ｃを切換弁１３ａから抜き取り、補助水槽１２を主水槽１１から分離して内部を洗浄することができる。
【他の実施の形態】
【００２９】
フィルタ１４、水ポンプ１３は、主水槽１１の外部に設置することができる（図４）。
【００３０】
水ポンプ１３と一体のフィルタ１４は、吸引管１４ａ、排出管１４ｂを介して主水槽１１と連結されている。吸引管１４ａの一端は、ストレーナ１４ｃを介して主水槽１１の底部に開口しており、排出管１４ｂの一端は、主水槽１１の底部に開口し、コネクタ１３ｃ、透明パイプ１３ｂを介して補助水槽１２の頂部の吐出ノズル１６に連通している。なお、排出管１４ｂには、排水ホース２２が分岐接続されており、排水ホース２２の先端には、開閉弁２２ａが装着されている。また、主水槽１１には、補助水槽１２内に高く伸びるエアホース２１が組み付けられており、エアホース２１の一端は、主水槽１１の側壁を貫通して開閉弁２１ａが装着されている。
【００３１】
主水槽１１内に水を入れ、エアホース２１の開閉弁２１ａの出口側に接続するエアポンプを作動させると、補助水槽１２内のエアを排出して補助水槽１２内に水を満たすことができるから、その後、開閉弁２１ａを閉じることにより、補助水槽１２内の水を高く保持する。なお、このとき、水ポンプ１３は停止させ、排水ホース２２の先端の開閉弁２２ａは、全閉に閉じておく。
【００３２】
つづいて、水ポンプ１３を運転すると、フィルタ１４により主水槽１１内の水を濾過しながら吐出ノズル１６から流出させ、補助水槽１２の外面に流下させることができる。なお、水換えなどの際には、水ポンプ１３を運転しながら開閉弁２２ａを開き、排水ホース２２を介して水を外部に排出するとともに、開閉弁２１ａを開くことにより、エアホース２１を介して補助水槽１２内にエアを少量ずつ注入し、主水槽１１、補助水槽１２内の水を外部に排出する。ただし、排出管１４ｂに分岐接続する排水ホース２２、開閉弁２２ａは、排出管１４ｂに接続するコネクタ１３ｃ、透明パイプ１３ｂ、吐出ノズル１６に比して、全体の流路抵抗が十分小さくなるように構成するものとする。
【００３３】
なお、図１において、切換弁１３ａ、排水ホース２２は、図４の水ポンプ１３の吐出側に接続する排出管１４ｂ、開閉弁２２ａ付きの排水ホース２２に代えることができる。なお、このときの排水ホース２２は、主水槽１１の側壁を貫通させて開閉弁２２ａを装着し、主水槽１１に組み付けることが好ましい。また、図１のエアホース２１は、図４の主水槽１１に組み付ける開閉弁２１ａ付きのエアホース２１に代えることができる。すなわち、図４の排水ホース２２、エアホース２１の各構成は、図１にも適用可能である。
【００３４】
また、主水槽１１内の水は、水ポンプ１３を使用することなく、たとえば図示しないサイホン式のポンプまたはホースを利用して簡単に外部に排水することができる。そこで、その場合は、図１の切換弁１３ａ、排水ホース２２、図４の開閉弁２２ａ付きの排水ホース２２などを全部省略してもよい。
【００３５】
補助水槽１２の頂部には、凹部１２ｂを形成することができる（図５）。
【００３６】
凹部１２ｂの底面には、吐出ノズル１６が上向きに開口している。そこで、吐出ノズル１６から流出する水は、凹部１２ｂに溜まり、凹部１２ｂの全周縁から溢れて補助水槽１２の外面を流下する。凹部１２ｂ内の水面には、図示しない浮き草や花、浮遊玩具、点火中のろうそくなどを浮かべることができる。
【００３７】
主水槽１１の周囲には、花Ｆなどを立てる補助スペース１１ａを形成してもよい（図６）。たとえば、角筒状の主水槽１１の各角部に補助スペース１１ａを形成してもよく（図６（Ａ）、（Ｃ））、円筒状の主水槽１１の全周に補助スペース１１ａを形成してもよい（図６（Ｂ）、（Ｃ））。ただし、図６（Ａ）、（Ｂ）は、それぞれ異なる形態の上面図であり、同図（Ｃ）は、同図（Ａ）、（Ｂ）の各Ｘ−Ｘ線矢視相当拡大断面図である。
【００３８】
主水槽１１の底部には、補助水槽１２内に高く進入するようにして、突出部１１ｂを形成することができる（図７（Ａ））。ただし、このときの主水槽１１は、少なくとも突出部１１ｂを透明材料によって形成するものとし、突出部１１ｂ内には、花Ｆや人形などを挿入して装飾することができる。また、補助水槽１２は、相似形の透明な内部材１２ｃを組み合わせることにより（図７（Ｂ））、花Ｆや、人形などの浮遊玩具を内部材１２ｃ内の水面に浮かべてもよい。なお、内部材１２ｃは、図示しない連結材を介して補助水槽１２と一体に連結されている。
【００３９】
以上の説明において、補助水槽１２内には、水を充満させるに代えて、上部にエアを残すことにより、適当な高さに水面を形成してもよい。このとき、補助水槽１２内の水面上にも、花Ｆや浮遊玩具などを浮かべることができる。また、ライトアップ用の照明器具１８は、フィルタ１４に組み込むに代えて、たとえば補助水槽１２の内側下端部や、補助水槽１２を支持するスペーサ１２ａに付設してもよい。
【符号の説明】
【００４０】
１１…主水槽
１１ｂ…突出部
１２…補助水槽
１２ａ…スペーサ
１２ｂ…凹部
１２ｃ…内部材
１３…水ポンプ
１３ａ…切換弁
１３ｂ…透明パイプ
１４…フィルタ
１６…吐出ノズル
１７…ヒータ
１８…照明器具
実用新案登録出願人      坂北  千恵
【図１】
0003180579.tif 000003
【図２】
0003180579.tif 000004
【図３】
0003180579.tif 000005
【図４】
0003180579.tif 000006
【図５】
0003180579.tif 000007
【図６】
0003180579.tif 000008
【図７】
0003180579.tif 000009